(57)【特許請求の範囲】
【請求項１】
第１の通信装置によって、複数の搬送周波数を使用して、通信ネットワークを通じて、第２の通信装置にデータを転送する方法であって、
前記方法は、前記第１の通信装置によって実行される複数のステップとして、
前記データを、第１の搬送周波数の複数の連続するグループの第１の搬送周波数にマッピングするステップであって、前記第１の搬送周波数のグループのそれぞれは、第１の搬送周波数の次のグループから、第２の搬送周波数だけ間隔が空けられており、少なくとも２つの第２の搬送周波数は、前記第２の通信装置の復調搬送周波数となり得る搬送周波数である、マッピングするステップと、
前記マッピングされたデータを前記第２の通信装置に転送するステップと
を含むことを特徴とする方法。
【請求項２】
前記第２の通信装置の復調搬送周波数となり得る前記搬送周波数である前記第２の搬送周波数のそれぞれは、事前に定義された搬送周波数であることを特徴とする、請求項１に記載の方法。
【請求項３】
前記第１の搬送周波数のグループのそれぞれは、同じ所定数の第１の搬送周波数を含むことを特徴とする、請求項１又は２に記載の方法。
【請求項４】
前記データは、第１の持続時間の第１のシンボル及び第２の持続時間の第２のシンボルの形態で転送され、
前記第１のシンボルは、第１の数の第１の搬送周波数にマッピングされ、
前記第２のシンボルは、第２の数の第１の搬送周波数にマッピングされる
ことを特徴とする、請求項３に記載の方法。
【請求項５】
第１のシンボルがマッピングされる前記第１の搬送周波数のそれぞれは、前記第２の搬送周波数から△ｆの整数倍だけ間隔が空けられ、
ここで、△ｆは、第１のシンボルがマッピングされる２つの第１の搬送周波数間の間隔である
ことを特徴とする、請求項４に記載の方法。
【請求項６】
第２のシンボルがマッピングされる前記第１の搬送周波数のそれぞれは、前記第２の搬送周波数からＬ△ｆの整数倍だけ間隔が空けられており、
ここで、Ｌは、前記第１の持続時間を前記第２の持続時間で除算した値である
ことを特徴とする、請求項５に記載の方法。
【請求項７】
第１の搬送周波数の１つのグループにおいて、第１のシンボルがマッピングされる第１の搬送周波数の数ＸＬと、
第１の搬送周波数のそのグループにおいて、第２のシンボルがマッピングされる第１の搬送周波数の数ＸＳとが、
式（ＸＬ＋１）＝（ＸＳ＋１）Ｌを満足する
ことを特徴とする、請求項６に記載の方法。
【請求項８】
少なくとも１つの他の第２の搬送周波数は、事前に定義される搬送周波数であり、
前記少なくとも１つの他の第２の搬送周波数は、前記第１の搬送周波数のグループのそれぞれにおいて、第１の搬送周波数の１つのグループにおいて第１のシンボルがマッピングされる第１の搬送周波数の数ＸＬと、第１の搬送周波数のそのグループにおいて第２のシンボルがマッピングされる第１の搬送周波数の数ＸＳとが、式（ＸＬ＋１）＝（ＸＳ＋１）Ｌを満足することを確実にするために定義される
ことを特徴とする、請求項５〜７のいずれか一項に記載の方法。
【請求項９】
Ｌは整数値であり、
前記第２のシンボルがマッピングされる前記第１の搬送周波数は、前記第１のシンボルがマッピングされる前記第１の搬送周波数のサブセットに属する
ことを特徴とする、請求項５〜８のいずれか一項に記載の方法。
【請求項１０】
前記第１の通信装置は、第１の周波数帯域を通じてデータを転送し、
前記第２の通信装置は、第２の周波数帯域を通じてデータを受信する
ことを特徴とし、かつ、
前記第２の周波数帯域の帯域幅は前記第１の周波数帯域の帯域幅より小さい
ことを特徴とする、請求項５〜９のいずれか一項に記載の方法。
【請求項１１】
前記第１の通信装置は、データを複数の第２の通信装置に転送することを特徴とし、かつ、
少なくとも１つの第２の搬送周波数は、別の第２の通信装置の復調搬送周波数となり得る搬送周波数であることを特徴とする、請求項１０に記載の方法。
【請求項１２】
前記第１の通信装置は、第１の周波数帯域を通じてデータを転送し、
前記第２の通信装置は、第２の周波数帯域を通じてデータを受信する
ことを特徴とし、かつ、
前記第１の周波数帯域の帯域幅は前記第２の周波数帯域の帯域幅より小さい
ことを特徴とする、請求項５〜９のいずれか一項に記載の方法。
【請求項１３】
１つの第２の搬送周波数は、前記第１の通信装置の変調搬送周波数であることを特徴とする、請求項１２に記載の方法。
【請求項１４】
少なくとも１つの他の第２の搬送周波数は、別の第１の通信装置の変調搬送周波数となり得る搬送周波数であることを特徴とする、請求項１３に記載の方法。
【請求項１５】
前記方法は、前記第２の搬送周波数に、ヌル値、又はパイロットシンボル、又は前記第１の搬送周波数にマッピングされないデータをマッピングするステップをさらに含むことを特徴とする、請求項１〜１４のいずれか一項に記載の方法。
【請求項１６】
第１の通信装置によって、複数の搬送周波数を使用して、通信ネットワークを通じて、第２の通信装置に転送されたデータを引き出す方法であって、
前記方法は、前記第２の通信装置によって実行される複数のステップとして、
第１の搬送周波数の複数の連続するグループの第１の搬送周波数を選択するステップであって、前記第１の搬送周波数のグループのそれぞれは、第１の搬送周波数の次のグループから、第２の搬送周波数だけ間隔が空けられており、少なくとも２つの第２の搬送周波数は、前記第２の通信装置の復調搬送周波数となり得る搬送周波数である、選択するステップと、
前記選択された第１の搬送周波数でデータを引き出すステップと
を含むことを特徴とする方法。
【請求項１７】
前記第１の搬送周波数のグループのそれぞれは、同じ所定数の第１の搬送周波数を含むことを特徴とする、請求項１６に記載の方法。
【請求項１８】
前記データは、第１の持続時間の第１のシンボル及び第２の持続時間の第２のシンボルの形態であり、
前記第１のシンボルは、第１の数の第１の搬送周波数にマッピングされ、
前記第２のシンボルは、第２の数の第１の搬送周波数にマッピングされる
ことを特徴とする、請求項１７に記載の方法。
【請求項１９】
第１のシンボルがマッピングされる前記第１の搬送周波数のそれぞれは、前記第２の搬送周波数から△ｆの整数倍だけ間隔が空けられ、
ここで、△ｆは、第１のシンボルがマッピングされる２つの第１の搬送周波数間の間隔である
ことを特徴とする、請求項１８に記載の方法。
【請求項２０】
第２のシンボルがマッピングされる前記第１の搬送周波数のそれぞれは、前記第２の搬送周波数からＬ△ｆの整数倍だけ間隔が空けられており、
ここで、Ｌは、前記第１の持続時間を前記第２の持続時間で除算した値である
ことを特徴とする、請求項１９に記載の方法。
【請求項２１】
第１の搬送周波数の１つのグループにおいて第１のシンボルがマッピングされる第１の搬送周波数の数ＸＬと、第１の搬送周波数のそのグループにおいて第２のシンボルがマッピングされる第１の搬送周波数の数ＸＳとが、式（ＸＬ＋１）＝（ＸＳ＋１）Ｌを満足し、
ここで、Ｌは、前記第１の持続時間を前記第２の持続時間で除算した値である
ことを特徴とする、請求項２０に記載の方法。
【請求項２２】
少なくとも１つの他の第２の搬送周波数は、事前に定義される搬送周波数であり、前記少なくとも１つの他の第２の搬送周波数は、前記第１の搬送周波数のグループのそれぞれにおいて、第１の搬送周波数の１つのグループにおいて第１のシンボルがマッピングされる第１の搬送周波数の数ＸＬと、第１の搬送周波数のそのグループにおいて第２のシンボルがマッピングされる第１の搬送周波数の数ＸＳとが、式（ＸＬ＋１）＝（ＸＳ＋１）Ｌを満足することを確実にするために定義されるか、又は、
少なくとも１つの他の第２の搬送周波数は、別の第２の通信装置の復調搬送周波数となり得る搬送周波数であるか、又は、
少なくとも１つの他の第２の搬送周波数は、別の第１の通信装置の変調搬送周波数となり得る搬送周波数である
ことを特徴とする、請求項１９〜２１のいずれか一項に記載の方法。
【請求項２３】
少なくとも１つの第２の搬送周波数、及び／又は、少なくとも１つの他の第２の搬送周波数を選択するステップと、
前記選択された第２の搬送周波数で、且つ／又は、前記少なくとも１つの他の第２の搬送周波数で、データを引き出すステップと
をさらに含むことを特徴とする、請求項２２に記載の方法。
【請求項２４】
前記第１の通信装置は、ダウンリンクチャネルを通じてデータを転送し、
前記第２の通信装置は、アップリンクチャネルを通じてデータを転送する
ことを特徴とし、かつ、
前記アップリンクチャネル及び前記ダウンリンクチャネルは、同じ第２の搬送周波数を有する
ことを特徴とする、請求項１６〜２３のいずれか一項に記載の方法。
【請求項２５】
第１の通信装置から、複数の搬送周波数を使用して、通信ネットワークを通じて、第２の通信装置にデータを転送する装置であって、
前記転送する装置は、前記第１の通信装置に含まれ、
前記転送する装置は、
前記データを、第１の搬送周波数の複数の連続するグループの第１の搬送周波数にマッピングする手段であって、前記第１の搬送周波数のグループのそれぞれは、第１の搬送周波数の次のグループから、第２の搬送周波数だけ間隔が空けられており、少なくとも２つの第２の搬送周波数は、前記第２の通信装置の復調搬送周波数となり得る搬送周波数である、マッピングする手段と、
前記マッピングされたデータを前記第２の通信装置に転送する手段と
を具備することを特徴とする装置。
【請求項２６】
第１の通信装置によって、複数の搬送周波数を使用して、通信ネットワークを通じて、第２の通信装置に転送されたデータを引き出す装置であって、
前記引き出す装置は、前記第２の通信装置に含まれ、
前記引き出す装置は、
第１の搬送周波数の複数の連続するグループの第１の搬送周波数を選択する手段であって、前記第１の搬送周波数のグループのそれぞれは、第１の搬送周波数の次のグループから、第２の搬送周波数だけ間隔が空けられており、少なくとも２つの第２の搬送周波数は、前記第２の通信装置の復調搬送周波数となり得る搬送周波数である、選択する手段と、
前記選択された第１の搬送周波数でデータを引き出す手段と
を具備することを特徴とする装置。
【請求項２７】
プログラマブルデバイスに直接ロード可能であり得るコンピュータプログラムであって、プログラマブルデバイスにおいて実行されると、請求項１〜１５のいずれか一項に記載の方法のステップを実施する命令又はコード部を含む、コンピュータプログラム。
【請求項２８】
プログラマブルデバイスに直接ロード可能であり得るコンピュータプログラムであって、プログラマブルデバイスにおいて実行されると、請求項１６〜２４のいずれか一項に記載の方法のステップを実施する命令又はコード部を含む、コンピュータプログラム。
【発明の詳細な説明】
【技術分野】
【０００１】
本発明は、包括的には通信システムに関し、特に、第１の通信装置から第２の通信装置にデータを転送し且つ／又はデータを引き出す(retrieve)方法及び装置に関する。
【０００２】
無線通信ネットワークのような従来の通信ネットワークでは、基地局がユーザ機器にデータを転送し且つ／又はユーザ機器からデータを受信する。
【０００３】
無線通信ネットワークによっては、全システム帯域幅が、直交信号がマッピングされる複数の搬送周波数に分割される。
【０００４】
基地局及びユーザ機器は、同じ周波数帯域を通じてデータを転送することができる。このため、基地局及びユーザ機器は、同じ変調搬送周波数及び／又は復調搬送周波数を使用し、周波数帯域は同じ帯域幅を有する。
【０００５】
近年、無線通信ネットワークによっては、基地局がいくつかのユーザ機器によって使用される帯域幅より広い帯域幅を有する周波数帯域でデータを転送し且つ／又は受信することが可能である。
【０００６】
こうした技法により、帯域幅に関して異なる能力を有するユーザ機器が基地局と通信することが可能になる。
【０００７】
こうした技法の問題は、基地局の全周波数帯域が効率的に使用されない可能性がある、ということである。
【０００８】
基地局の全周波数帯域をより効率的に使用するためには、ユーザ機器は、異なる変調搬送周波数及び／又は復調搬送周波数を有することができなければならない。
【０００９】
異なる変調搬送周波数及び／又は復調搬送周波数が存在することにより、いくつかの問題が発生する。基地局が、データをユーザ機器の復調搬送周波数にマッピングする場合、ユーザ機器アーキテクチャによっては、ユーザ機器による復調の後、データに連続的な成分が混入している場合がある。これらの連続的な成分から強い干渉が発生する可能性があり、それにより、この復調搬送周波数で受信されるデータは非常に信頼性が低い。
【００１０】
同様に、ユーザ機器がデータを基地局の復調搬送周波数にマッピングする場合、基地局アーキテクチャによっては、基地局による復調の後、データに連続的な成分が混入している場合がある。これらの連続的な成分から強い干渉が発生する可能性があり、それにより、この復調搬送周波数で受信されるデータは非常に信頼性が低い。
【００１１】
したがって、本発明の目的は、ユーザ機器及び基地局が、異なる変調搬送周波数及び／又は復調搬送周波数を、これらの搬送周波数においてデータが強く干渉されることなく有することができるようにする方法及び装置を提案することである。
【００１２】
そのために、本発明は、第１の通信装置によって、複数の搬送周波数を使用して、通信ネットワークを通じて、第２の通信装置にデータを転送する方法であって、
前記方法は、第１の通信装置によって実行される複数のステップとして、
データを、第１の搬送周波数の複数の連続するグループの第１の搬送周波数にマッピングするステップであって、この第１の搬送周波数のグループのそれぞれは、第１の搬送周波数の次のグループから、第２の搬送周波数だけ間隔が空けられており、少なくとも２つの第２の搬送周波数は、第２の通信装置の復調搬送周波数に影響されやすい搬送周波数である、マッピングするステップと、
マッピングされたデータを第２の通信装置に転送するステップと
を含むことを特徴とする方法に関する。
【００１３】
本発明はまた、第１の通信装置から、複数の搬送周波数を使用して、通信ネットワークを通じて、第２の通信装置にデータを転送する装置であって、
当該転送する装置は、第１の通信装置に含まれ、
当該転送する装置は、
データを第１の搬送周波数の複数の連続するグループの第１の搬送周波数にマッピングする手段であって、この第１の搬送周波数のグループのそれぞれは、第１の搬送周波数の次のグループから第２の搬送周波数だけ間隔が空けられており、少なくとも２つの第２の搬送周波数は、第２の通信装置の復調搬送周波数に影響されやすい搬送周波数である、マッピングする手段と、
マッピングされたデータを第２の通信装置に転送する手段と
を具備することを特徴とする装置にも関する。
【００１４】
このため、第２の通信装置は、異なる復調搬送周波数を、これらの搬送周波数においてデータが強く干渉されることなく有することができる。
【００１５】
特定の特徴によれば、第２の通信装置の復調搬送周波数に影響されやすい第２の搬送周波数のそれぞれは、事前に定義された搬送周波数である。
【００１６】
このため、第２の搬送周波数が事前に定義されていることにより、第２の搬送周波数の確定は非常に単純である。第１の通信装置は、いずれの搬送周波数が、第２の通信装置の復調搬送周波数に影響されやすいかを事前に知っている。
【００１７】
特定の特徴によれば、第１の搬送周波数のグループのそれぞれは、同じ所定数の第１の搬送周波数を含む。
【００１８】
このように、第１の搬送周波数へのデータのマッピングが簡略化される。そして、第１の通信装置の複雑性が低減する。
【００１９】
特定の特徴によれば、データは、第１の持続時間の第１のシンボル及び第２の持続時間の第２のシンボルの形態で転送され、第１のシンボルは第１の数の第１の搬送周波数にマッピングされ、第２のシンボルは第２の数の第１の搬送周波数にマッピングされる。
【００２０】
特定の特徴によれば、第１のシンボルがマッピングされる第１の搬送周波数のそれぞれは、第２の搬送周波数から△ｆの整数倍だけ間隔が空けられ、ここで△ｆは第１のシンボルがマッピングされる２つの第１の搬送周波数間の間隔である。
【００２１】
このため、第２の通信装置は、搬送周波数において強く干渉されたデータを引き出さない。
【００２２】
特定の特徴によれば、第１のシンボルがマッピングされる第１の搬送周波数のそれぞれは、第２の搬送周波数からＬ△ｆの整数倍だけ間隔が空けられており、ここでＬは第１の持続時間を第２の持続時間で除算した値である。
【００２３】
このため、第１のシンボル及び第２のシンボルは、第２の搬送周波数にマッピングされない。そして、第１のシンボルがマッピングされない特定の第２の搬送周波数と、第２のシンボルがマッピングされない他の第２の搬送周波数とを有する必要がない。
【００２４】
第２の通信装置は、搬送周波数において強く干渉されたデータを引き出さない。
【００２５】
特定の特徴によれば、第１の搬送周波数の１つのグループにおいて第１のシンボルがマッピングされる第１の搬送周波数の数ＸＬと、第１の搬送周波数のそのグループにおいて第２のシンボルがマッピングされる第１の搬送周波数の数ＸＳとが、式（ＸＬ＋１）＝（ＸＳ＋１）Ｌを満足する。
【００２６】
このため、第１の搬送周波数の１つのグループにおいて第１のシンボルがマッピングされる第１の搬送周波数の数と、第１の搬送周波数のそのグループにおいて第２のシンボルがマッピングされる第１の搬送周波数の数とを制御することによって、第２の通信装置は、搬送周波数において強く干渉されたデータを引き出さない。
【００２７】
特定の特徴によれば、少なくとも１つの他の第２の搬送周波数は、事前に定義される搬送周波数であり、この少なくとも１つの他の第２の搬送周波数は、第１の搬送周波数のグループのそれぞれにおいて、第１の搬送周波数の１つのグループにおいて第１のシンボルがマッピングされる第１の搬送周波数の数ＸＬと、第１の搬送周波数のそのグループにおいて第２のシンボルがマッピングされる第１の搬送周波数の数ＸＳとが、式（ＸＬ＋１）＝（ＸＳ＋１）Ｌを満足することを確実にするために定義される。
【００２８】
このように、第１の搬送周波数へのデータのマッピングが簡略化される。そして、第１の通信装置の複雑性が低減する。
【００２９】
さらに、第１の搬送周波数のグループは、第１の通信装置又は第２の通信装置の全周波数帯域において規則正しく間隔が空けられる。
【００３０】
特定の特徴によれば、第１の通信装置は、第１の周波数帯域を通じてデータを転送し、第２の通信装置は、第２の周波数帯域を通じてデータを受信し、第２の周波数帯域の帯域幅は第１の周波数帯域の帯域幅より小さい。
【００３１】
特定の特徴によれば、第１の通信装置はデータを複数の第２の通信装置に転送し、少なくとも１つの第２の搬送周波数は、別の第２の通信装置の復調搬送周波数に影響されやすい搬送周波数である。
【００３２】
このように、第１の搬送周波数へのデータのマッピングが簡略化される。そして、第１の通信装置の複雑性が低減する。
【００３３】
さらに、データを第１の搬送周波数のみにマッピングし、別の第２の通信装置の復調搬送周波数に影響されやすい搬送周波数にマッピングしないことにより、第１の通信装置は、各第２の通信装置に対し同じ第１の搬送周波数間でデータをマッピングする。第２の通信装置は、いずれの搬送周波数がその復調搬送周波数であるかを考慮する必要なしに同じ第１の搬送周波数間でデータを引き出す。
【００３４】
特定の特徴によれば、第１の通信装置は、第１の周波数帯域を通じてデータを転送し、第２の通信装置は、第２の周波数帯域を通じてデータを受信し、第１の周波数帯域の帯域幅は第２の周波数帯域の帯域幅より小さい。
【００３５】
特定の特徴によれば、１つの第２の搬送周波数は、第１の通信装置の変調搬送周波数である。
【００３６】
このため、第２の通信装置は、第２の通信装置の変調周波数において現れる可能性がある連続的な成分から発生する可能性がある強い干渉によって妨害されないであろう。
【００３７】
特定の特徴によれば、少なくとも１つの他の第２の搬送周波数は、別の第１の通信装置の変調搬送周波数に影響されやすい搬送周波数である。
【００３８】
このように、データを第１の搬送周波数のみにマッピングし、別の第１の通信装置の変調搬送周波数に影響されやすい搬送周波数にマッピングしないことにより、第２の通信装置は、第１の搬送周波数でデータを引き出すために、いずれの第１の通信装置がデータを転送するかを考慮する必要がない。
【００３９】
さらに、第１の搬送周波数のグループは、第１の通信装置又は第２の通信装置の全周波数帯域において規則正しく間隔が空けられる。
【００４０】
特定の特徴によれば、第１の通信装置は、第２の搬送周波数に、ヌル値、又はパイロットシンボル、又は第１の搬送周波数にマッピングされないデータをマッピングする。
【００４１】
このように、第１の通信装置が第２の搬送周波数にヌル値をマッピングする場合、第２の搬送周波数へのデータのマッピングが簡略化される。第１の通信装置が、第２の搬送周波数に、パイロットシンボル又は第１の搬送周波数にマッピングされないデータをマッピングする場合、周波数帯域は効率的に使用される。
【００４２】
さらに別の態様によれば、本発明は、第１の通信装置によって、複数の搬送周波数を使用して、通信ネットワークを通じて、第２の通信装置に転送されたデータを引き出す方法であって、
前記方法は、第２の通信装置によって実行される複数のステップとして、
第１の搬送周波数の複数の連続するグループの第１の搬送周波数を選択するステップであって、この第１の搬送周波数のグループのそれぞれは第１の搬送周波数の次のグループから第２の搬送周波数だけ間隔が空けられており、少なくとも２つの第２の搬送周波数は、第２の通信装置の復調搬送周波数に影響されやすい搬送周波数である、選択するステップと、
選択された第１の搬送周波数でデータを引き出すステップと
を含むことを特徴とする方法に関する。
【００４３】
本発明はまた、第１の通信装置によって、複数の搬送周波数を使用して、通信ネットワークを通じて、第２の通信装置に転送されたデータを引き出す装置であって、
当該引き出す装置は、第２の通信装置に含まれ、
当該引き出す装置は、
第１の搬送周波数の複数の連続するグループの第１の搬送周波数を選択する手段であって、この第１の搬送周波数のグループのそれぞれは、第１の搬送周波数の次のグループから、第２の搬送周波数だけ間隔が空けられており、少なくとも２つの第２の搬送周波数は、第２の通信装置の復調搬送周波数に影響されやすい搬送周波数である、選択する手段と、
選択された第１の搬送周波数でデータを引き出す手段と
を具備することを特徴とする装置にも関する。
【００４４】
このように、第２の通信装置は、第１の通信装置の変調搬送周波数からの異なる復調搬送周波数を、これらの搬送周波数においてデータが強く干渉されることなく有することができる。
【００４５】
特定の特徴によれば、第１の搬送周波数のグループのそれぞれは、同じ所定数の第１の搬送周波数を含む。
【００４６】
このように、第１の搬送周波数でのデータの引き出しが簡略化される。
【００４７】
特定の特徴によれば、第１のシンボルがマッピングされる第１の搬送周波数のそれぞれは、第２の搬送周波数から△ｆの整数倍だけ間隔が空けられ、ここで△ｆは第１のシンボルがマッピングされる２つの第１の搬送周波数間の間隔である。
【００４８】
特定の特徴によれば、第２のシンボルがマッピングされる第１の搬送周波数のそれぞれは、第２の搬送周波数からＬ△ｆの整数倍だけ間隔が空けられており、ここでＬは第１の持続時間を第２の持続時間で除算した値である。
【００４９】
このため、第１のシンボル及び第２のシンボルは第２の搬送周波数にはマッピングされない。したがって、第１のシンボルがマッピングされない特定の第２の搬送周波数、及び第２のシンボルがマッピングされない他の第２の搬送周波数を有する必要はない。
【００５０】
特定の特徴によれば、第１の搬送周波数の１つのグループにおいて第１のシンボルがマッピングされる第１の搬送周波数の数ＸＬと、第１の搬送周波数のそのグループにおいて第２のシンボルがマッピングされる第１の搬送周波数の数ＸＳとが、式（ＸＬ＋１）＝（ＸＳ＋１）Ｌを満足し、ここでＬは第１の持続時間を第２の持続時間で除算した値である。
【００５１】
特定の特徴によれば、少なくとも１つの他の第２の搬送周波数は、事前に定義される搬送周波数であり、この少なくとも１つの他の第２の搬送周波数は、第１の搬送周波数のグループのそれぞれにおいて、第１の搬送周波数の１つのグループにおいて第１のシンボルがマッピングされる第１の搬送周波数の数ＸＬと、第１の搬送周波数のそのグループにおいて第２のシンボルがマッピングされる第１の搬送周波数の数ＸＳとが、式（ＸＬ＋１）＝（ＸＳ＋１）Ｌを満足することを確実にするために定義されるか、又は、少なくとも１つの他の第２の搬送周波数は、別の第２の通信装置の復調搬送周波数に影響されやすい搬送周波数であるか、又は、少なくとも１つの他の第２の搬送周波数は、別の第１の通信装置の変調搬送周波数に影響されやすい搬送周波数である。
【００５２】
このように、第１の搬送周波数におけるデータの選択が簡略化される。そして、第２の通信装置の複雑性が低減する。
【００５３】
さらに、第１の搬送周波数においてのみデータを選択し、別の第２の通信装置の変調搬送周波数に影響されやすい搬送周波数においては選択しないことにより、すべての第２の通信装置が同じ第１の搬送周波数を選択する。
【００５４】
さらに、第１の搬送周波数においてのみデータを選択し、別の第１の通信装置の復調搬送周波数に影響されやすい搬送周波数においてはデータを選択しないことにより、すべての第２の通信装置が同じ第１の搬送周波数を選択する。第２の通信装置は、いずれの搬送周波数が、データを転送する第１の通信装置の変調搬送周波数であるかを考慮する必要なしに、同じ第１の搬送周波数でデータを引き出す。
【００５５】
特定の特徴によれば、第２の通信装置は、少なくとも１つの第２の搬送周波数及び／または少なくとも１つの他の第２の搬送周波数を選択し、選択された第２の搬送周波数で且つ／又は少なくとも１つの他の第２の搬送周波数でデータを引き出す。
【００５６】
このように、周波数帯域は効率的に使用される。
【００５７】
特定の特徴によれば、第１の通信装置はダウンリンクチャネルを通じてデータを転送し、第２の通信装置はアップリンクチャネルを通じてデータを転送し、アップリンクチャネル及びダウンリンクチャネルは同じ第２の搬送周波数を有する。
【００５８】
このように、通信装置の複雑性が低減する。
【００５９】
さらに別の態様によれば、本発明は、プログラマブルデバイスに直接ロード可能であり得るコンピュータプログラムであって、プログラマブルデバイスにおいて実行されると、本発明による方法のステップを実施する命令又はコード部を含む、コンピュータプログラムに関する。
【００６０】
コンピュータプログラムに関連する特徴及び利点は、本発明による方法及び装置を表す、上述したものと同じであるため、ここでは繰り返さない。
【００６１】
さらに別の態様によれば、本発明は、第１の通信装置によって第２の通信装置に転送され、複数の搬送周波数から成る周波数帯域を通じて転送される信号であって、データは第１の搬送周波数の複数の連続するグループの第１の搬送周波数にマッピングされることを特徴とし、かつ、この第１の搬送周波数のグループのそれぞれは、第１の搬送周波数の次のグループから第２の搬送周波数だけ間隔が空けられており、少なくとも２つの第２の搬送周波数は、第２の通信装置の復調搬送周波数に影響されやすい搬送周波数であることを特徴とする、信号に関する。
【００６２】
特定の特徴によれば、第１の搬送周波数のグループのそれぞれは、同じ所定数の第１の搬送周波数を含む。
【００６３】
特定の特徴によれば、データは、第１の持続時間の第１のシンボル及び第２の持続時間の第２のシンボルの形態であり、第１のシンボルは第１の数の第１の搬送周波数にマッピングされ、第２のシンボルは第２の数の第１の搬送周波数にマッピングされる。
【００６４】
特定の特徴によれば、第１のシンボルがマッピングされる第１の搬送周波数のそれぞれは、第２の搬送周波数から△ｆの整数倍だけ間隔が空けられ、ここで△ｆは第１のシンボルがマッピングされる２つの第１の搬送周波数間の間隔である。
【００６５】
特定の特徴によれば、第２のシンボルがマッピングされる第１の搬送周波数のそれぞれは、第２の搬送周波数からＬ△ｆの整数倍だけ間隔が空けられており、ここで△ｆは第１のシンボルがマッピングされる２つの第１の搬送周波数間の間隔であり、Ｌは第１の持続時間を第２の持続時間で除算した値である。
【００６６】
特定の特徴によれば、第１の搬送周波数の１つのグループにおいて第１のシンボルがマッピングされる第１の搬送周波数の数ＸＬと、第１の搬送周波数のそのグループにおいて第２のシンボルがマッピングされる第１の搬送周波数の数ＸＳとが、式（ＸＬ＋１）＝（ＸＳ＋１）Ｌを満足する。
【００６７】
特定の特徴によれば、第１の搬送周波数の１つのグループにおいて第１のシンボルがマッピングされる第１の搬送周波数の数ＸＬは７５に等しく、第１の搬送周波数のそのグループにおいて第２のシンボルがマッピングされる第１の搬送周波数の数ＸＳは３７に等しく、Ｌは２に等しく、第１の搬送周波数のグループのそれぞれは３つの資源ブロックに分割される。
【００６８】
特定の特徴によれば、第１の搬送周波数の１つのグループにおいて第１のシンボルがマッピングされる第１の搬送周波数の数ＸＬは１４７に等しく、第１の搬送周波数のそのグループにおいて第２のシンボルがマッピングされる第１の搬送周波数の数ＸＳは７３に等しく、Ｌは２に等しく、第１の搬送周波数のグループのそれぞれは７つの資源ブロックに分割される。
【００６９】
特定の特徴によれば、第１の搬送周波数の１つのグループにおいて第１のシンボルがマッピングされる第１の搬送周波数の数ＸＬは１３５に等しく、第１の搬送周波数のそのグループにおいて第２のシンボルがマッピングされる第１の搬送周波数の数ＸＳは６７に等しく、Ｌは２に等しく、第１の搬送周波数のグループのそれぞれは５つの資源ブロックに分割される。
【００７０】
特定の特徴によれば、第１の搬送周波数の１つのグループにおいて第１のシンボルがマッピングされる第１の搬送周波数の数ＸＬは７７に等しく、第１の搬送周波数のそのグループにおいて第２のシンボルがマッピングされる第１の搬送周波数の数ＸＳは３８に等しく、Ｌは２に等しく、第１の搬送周波数のグループのそれぞれは７つの資源ブロックに分割される。
【００７１】
信号に関連する特徴及び利点は、本発明による方法及び装置に関して上述したものと同じであるため、ここでは繰り返さない。
【００７２】
本発明の特徴は、例示的な一実施形態の以下の説明を読むことからより明確になり、その説明は、添付図面を参照して行われる。
【００７３】
図１は、本発明が実装される通信ネットワークのアーキテクチャを表す図である。
【００７４】
通信ネットワーク１５において、基地局１０は、ユーザ機器２０ａ〜２０ｇにデータを転送し且つ／又はユーザ機器２０ａ〜２０ｇからデータを受信する。
【００７５】
通信ネットワーク１５は、無線通信ネットワーク又はたとえば伝送の媒体として電力線配電網を使用する有線通信ネットワークである。
【００７６】
通信ネットワーク１５において、全システム帯域幅は、直交信号がマッピングされる複数の搬送周波数に分割される。搬送周波数の一部は、本発明による搬送周波数のグループに構成される、複数の資源ブロックにグループ化される。
【００７７】
例として且つ非限定的に、無線通信ネットワーク１５は、直交周波数分割多元接続方式を使用する。
【００７８】
図１において、明確にするために７つのユーザ機器２０ａ〜２０ｇしか示さないが、本発明の通信ネットワーク１５においてより少ないユーザ機器２０又はより多くのユーザ機器２０を使用することができる、ということを理解することができる。
【００７９】
基地局１０は、ノードＢ又は拡張ノードＢとも呼ばれる通信装置である。
【００８０】
ユーザ機器装置２０は、例として且つ非限定的に、携帯電話、携帯情報端末、パーソナルコンピュータのような通信装置である。
【００８１】
各ユーザ機器２０ａ〜２０ｇは、アップリンクチャネル及びダウンリンクチャネルを使用して基地局１０にリンクされる。
【００８２】
基地局１０は、ダウンリンクチャネルを通じてユーザ機器２０にデータを転送し、各ユーザ機器２０ａ〜２０ｇは、アップリンクチャネルを通じて基地局１０にデータを転送する。
【００８３】
基地局１０は、ユーザ機器２０ａ〜２０ｇがデータを転送し且つ／又はデータを受信することができる周波数帯域の帯域幅より大きいか、又はそれに等しい帯域幅を有する周波数帯域を通じて、データを転送し且つ／又は受信することができる。
【００８４】
例として且つ非限定的に、基地局１０は、２０ＭＨｚに等しい帯域幅を有する第１の周波数帯域を通じてデータを転送し且つ／又は受信することができ、ユーザ機器２０ａ〜２０ｇは、１０ＭＨｚ又は１５ＭＨｚ又は２０ＭＨｚに等しい帯域幅を有する第２の周波数帯域を通じてデータを受信し且つ／又は転送することができる。
【００８５】
ここで、第２の周波数帯域の帯域幅は、各ユーザ機器２０ａ〜２０ｇとは異なってもよい、ということが留意されなければならない。
【００８６】
基地局１０は、基地局１０の第１の周波数帯域の中央の搬送周波数であるか、又は基地局１０の第１の周波数帯域の中央周辺の搬送周波数である変調搬送周波数及び／又は復調搬送周波数を有する。
【００８７】
本発明は、通信ネットワーク１５において時分割複信方式が使用される時、すなわち、基地局１０の変調搬送周波数及び復調搬送周波数が同一である時について述べる。本発明はまた、通信ネットワーク１５において周波数分割複信方式が使用される時、すなわち、基地局１０の変調搬送周波数及び復調搬送周波数が異なる時にも適用可能である。
【００８８】
各ユーザ機器２０ａ〜２０ｇは、ユーザ機器２０ａ〜２０ｇの第２の周波数帯域の中央の搬送周波数であるか、又はユーザ機器２０ａ〜２０ｇの第２の周波数帯域の中央周辺の搬送周波数である変調搬送周波数及び／又は復調搬送周波数を有する。
【００８９】
各機器２０ａ〜２０ｇの変調搬送周波数は、その復調搬送周波数に等しいが、すでに開示したように、各機器２０ａ〜２０ｇの変調搬送周波数はその復調搬送周波数と異なることも可能であるということを理解することができる。
【００９０】
各ユーザ機器２０ａ〜２０ｇの変調搬送周波数及び／又は復調搬送周波数は、基地局１０の復調搬送周波数及び／又は変調搬送周波数と異なってもよい。
【００９１】
各ユーザ機器２０ａ〜２０ｇの変調搬送周波数及び／又は復調搬送周波数は、他のユーザ機器２０ａ〜２０ｇの復調搬送周波数及び／又は変調搬送周波数と異なってもよい。
【００９２】
ユーザ機器２０は、キャンピング位置(camping position)、すなわち、基地局１０の復調搬送周波数及び／又は変調搬送周波数とは異なる変調搬送周波数及び／又は復調搬送周波数を有することが可能である。ユーザ機器２０の変調搬送周波数及び／又は復調搬送周波数が常に基地局１０の復調搬送周波数及び／又は変調搬送周波数と同一であるという、単純化された構成に比較して、キャンピング位置が異なる可能性があることにより、周波数帯域をよりよく使用することができる。
【００９３】
基地局１０及びユーザ機器２０が異なる変調搬送周波数及び／又は復調搬送周波数を有する場合、基地局１０がデータをユーザ機器２０の復調搬送周波数にマッピングすると、ユーザ機器２０のアーキテクチャによっては、ユーザ機器２０による復調の後、データに電気的な環境の連続的な成分が混入している可能性がある。これらの連続的な成分から強い干渉が発生する可能性があり、それによりこの搬送周波数で受信されるデータが強く干渉される可能性がある。アップリンクチャネルにおいても、すなわち、ユーザ機器２０が基地局１０の復調搬送周波数にデータをマッピングする場合においても同じ問題が発生する。
【００９４】
図２は、基地局のアーキテクチャを表す図である。
【００９５】
基地局１０は、たとえば、バス２０１によって互いに接続されるコンポーネントと図８及び図９に開示されるようなプログラムによって制御されるプロセッサ２００とに基づくアーキテクチャを有する。
【００９６】
ここで、基地局１０は、一変形として、後に開示するようなプロセッサ２００によって実行されるものと同じ動作を実行する１つ又はいくつかの専用集積回路に実装されることが留意されなければならない。
【００９７】
バス２０１は、プロセッサ２００を、リードオンリメモリＲＯＭ２０２、ランダムアクセスメモリＲＡＭ２０３及びネットワークインタフェース２０５にリンクする。
【００９８】
リードオンリメモリＲＯＭ２０２は、基地局１０に電源が投入されるとランダムアクセスメモリＲＡＭ２０３に転送される、図８及び図９に開示されるようなアルゴリズムに関連するプログラムの命令を含む。
【００９９】
ＲＡＭメモリ２０３は、変数を受け取るように意図されたレジスタと、図８及び図９に開示されるようなアルゴリズムに関連するプログラムの命令とを有する。
【０１００】
図３は、ユーザ機器のアーキテクチャを表す図である。
【０１０１】
ユーザ機器２０は、たとえば、バス３０１によって互いに接続されるコンポーネントと図８及び図９に開示されるようなプログラムによって制御されるプロセッサ３００とに基づくアーキテクチャを有する。
【０１０２】
ここで、ユーザ機器２０は、一変形として、後に開示されるようなプロセッサ３００によって実行されるものと同じ動作を実行する１つ又はいくつかの専用集積回路に実装されることが留意されなければならない。
【０１０３】
バス３０１は、プロセッサ３００を、リードオンリメモリＲＯＭ３０２、ランダムアクセスメモリＲＡＭ３０３及びネットワークインタフェース３０５にリンクする。
【０１０４】
リードオンリメモリＲＯＭ３０２は、ユーザ機器２０に電源が投入されるとランダムアクセスメモリＲＡＭ３０３に転送される、図８及び図９に開示されるようなアルゴリズムに関連するプログラムの命令を含む。
【０１０５】
ＲＡＭメモリ３０３は、変数を受け取るように意図されたレジスタと、図８及び図９に開示されるようなアルゴリズムに関連するプログラムの命令とを含む。
【０１０６】
図４は、基地局のネットワークインタフェースのアーキテクチャを表す図である。
【０１０７】
基地局１０のネットワークインタフェース２０５は、送信モジュール４００及び受信モジュール４５０を備える。
【０１０８】
受信モジュール４５０のアーキテクチャは、図５を参照して後に開示する受信モジュール５００のアーキテクチャと同様である。
【０１０９】
送信モジュール４００は、転送されるデータを、第１の搬送周波数の少なくとも２つのグループの第１の搬送周波数にマッピングするデータ・搬送周波数マッピングモジュール４１を含む。
【０１１０】
例として且つ非限定的に、データ・搬送周波数マッピングモジュール４１は、データを１６個のグループ７０の第１の搬送周波数にマッピングする。明確にするために、図４には７０１と示すグループ及び７０１６と示す第１６番目のグループのみを示す。
【０１１１】
第１の搬送周波数のグループのそれぞれは、第１の搬送周波数の少なくとも１つの他のグループから、少なくとも１つの第２の搬送周波数だけ間隔が空けられる。
【０１１２】
第２の搬送周波数は、データがマッピングされない搬送周波数であるか、又は、パイロットシンボル若しくは第１の搬送周波数にマッピングされないデータのような情報を転送するために使用される搬送周波数である。
【０１１３】
この、第１の搬送周波数にマッピングされないデータとは、たとえば、信号処理の目的で使用されるものか、または、第１の搬送周波数にマッピングされるデータより低いレートで転送される必要のあるデータか、又は、受信するユーザ機器２０には不可欠ではないデータか、又は、少なくとも２つの第２の搬送周波数で同時に転送されるデータである。
【０１１４】
例として、図４は、データ・搬送周波数マッピングモジュール４１が第２の搬送周波数にヌル値をマッピングすることを示す。
【０１１５】
明確にするために、図４には７１１、７３１及び７３８と示す３つの第２の搬送周波数のみを示すが、図７を参照して後に開示するように、データ・搬送周波数マッピングモジュール４１は、ヌル値、又はパイロットシンボル、又は信号処理データ、又は他のデータを、より多くの第２の搬送周波数にマッピングする。
【０１１６】
データ・搬送周波数マッピングモジュール４１は、第１の持続時間の第１のシンボル及び第２の持続時間の第２のシンボルの形態で、転送されるべきデータをマッピングする。データ・搬送周波数マッピングモジュール４１は、第１のシンボルを搬送周波数のグループの第１の搬送周波数にマッピングし、第２のシンボルを第１の搬送周波数のグループの第１の搬送周波数にマッピングする。
【０１１７】
通信ネットワーク１５において、２つの異なるシンボルがアップリンクチャネルか又はダウンリンクチャネルのいずれかで使用される。第１のシンボルは、例として長いシンボルであり、第２のシンボルは例として短いシンボルである。
【０１１８】
長いシンボル及び短いシンボルに対して同じサンプリング周波数が使用される場合であり、且つＮｂが整数であってＬ>１である場合、持続時間Ｔｓの長いシンボルが、サブ周波数帯域△ｆだけ間隔が空けられたＮｂ個の搬送周波数から構築される場合、持続時間Ｔｓ／Ｌの短いシンボルは、Ｌ△ｆだけ間隔が空けられたＮｂ／Ｌ個の搬送周波数を考慮することによって構築される。
【０１１９】
ＯＦＤＭ変調が使用される場合、長いシンボルは、サイズＮｂの逆離散フーリエ変換（ＩＤＦＴ）を用いて取得され、短いシンボルは、Ｎｂ／Ｌが整数値である場合、サイズＮｂ／ＬのＩＤＦＴを用いて取得される。
【０１２０】
ＩＤＦＴは逆高速フーリエ変換（ＩＦＦＴ）であることが好ましい。
【０１２１】
Ｌは、第１のシンボルの持続時間を第２のシンボルの持続時間で除算した値に等しい。Ｌは、必ずしも整数値である必要はなく、すなわち、第２のシンボルがマッピングされる第１の搬送周波数は、必ずしも△ｆの整数倍だけ間隔が空けられる必要はない。
【０１２２】
Ｌが整数値である場合、第２のシンボルがマッピングされる第１の搬送周波数は、第１のシンボルがマッピングされる第１の搬送周波数のサブセットである。
【０１２３】
Ｌが整数値でない場合、第２のシンボルがマッピングされる第１の搬送周波数の少なくとも一部は、第１のシンボルがマッピングされる第１の搬送周波数とは異なる。
【０１２４】
短いシンボルは、例として且つ非限定的に、チャネル推定に使用されるパイロットシンボルを搬送するために使用される。
【０１２５】
本発明によれば、第１の搬送周波数の１つのグループにおける、第１のシンボルがマッピングされる第１の搬送周波数の数ＸＬと、第１の搬送周波数のそのグループにおける、第２のシンボルがマッピングされる第１の搬送周波数の数ＸＳとは、式（ＸＬ＋１）＝（ＸＳ＋１）Ｌを満足する。
【０１２６】
さらに、第２のシンボルがマッピングされる各第１の搬送周波数は、第２の搬送周波数からＬ△ｆの整数倍だけ間隔が空けられる。第１のシンボルがマッピングされる各第１の搬送周波数は、第２の搬送周波数から△ｆの整数倍だけ間隔が空けられる。
【０１２７】
送信モジュール４００は、ＩＦＦＴサンプルを形成するために搬送周波数のＩＦＦＴを実行することが好ましい逆離散フーリエ変換モジュール４２を含む。
【０１２８】
ＩＦＦＴのサイズＮＦＦＴは、基地局１０の帯域幅によって確定される。
【０１２９】
送信モジュール４００は、ＩＦＦＴサンプルを直列に変換する並列・直列変換器４３を備える。
【０１３０】
送信モジュール４００は、サイクリックプレフィックス挿入モジュール４４と、ＩＦＦＴサンプル及びサイクリックプレフィックスを基地局１０の変調搬送周波数によって変調する無線変調器４５とを備える。
【０１３１】
無線変調器４５は、アナログ無線周波数変調器であることが好ましい。
【０１３２】
図５は、ユーザ機器のネットワークインタフェースのアーキテクチャを表す図である。
【０１３３】
各ユーザ機器２０のネットワークインタフェース３０５は、受信モジュール５００及び送信モジュール５５０を備える。
【０１３４】
送信モジュール５５０のアーキテクチャは、図４を参照してすでに開示した送信モジュール４００のアーキテクチャと同様である。
【０１３５】
受信モジュール５００は、受信シンボルを、ユーザ機器２０の変調搬送周波数によって復調する復調器５１を備える。
【０１３６】
無線復調器５１は、アナログ無線周波数復調器であることが好ましい。
【０１３７】
ユーザ機器アーキテクチャによっては、受信シンボルをユーザ機器２０の復調搬送周波数である搬送周波数によって復調することにより、その搬送周波数にマッピングされたデータがある場合、連続的な成分によってそのデータが破壊される可能性がある。
【０１３８】
受信モジュール５００は、復調シンボルからサイクリックプレフィックスを除去するサイクリックプレフィックス除去モジュール５２を備える。
【０１３９】
受信モジュール５００は、サイクリックプレフィックスが除去された復調シンボルのサンプルを並列に変換する直列・並列モジュール５３を備える。
【０１４０】
受信モジュール５００は、並列化されたサンプルを周波数領域に変換する離散フーリエ変換モジュール５４を備える。
【０１４１】
離散フーリエ変換モジュール５４は、高速フーリエ変換モジュールであることが好ましい。
【０１４２】
受信モジュール５００は、受信データの復号に進むために第１の搬送周波数のグループを選択する搬送周波数選択モジュール５５を備える。
【０１４３】
例として且つ非限定的に、搬送周波数選択モジュール５５は、図７において７０１〜７０１６と示す第１の搬送周波数の１６個のグループの第１の搬送周波数を選択する。明確にするために、図５には、７０１と示す第１の搬送周波数のグループと、７０１６と示す第１の搬送周波数の第１６番目のグループとのみを示す。
【０１４４】
第１の搬送周波数のグループのそれぞれは、第１の搬送周波数の少なくとも１つの他のグループから、少なくとも１つの第２の搬送周波数だけ間隔が空けられる。
【０１４５】
搬送周波数選択モジュール５５は、例として、第２の搬送周波数にヌル値がマッピングされるものと想定する。第２の搬送周波数が、パイロットシンボル又は第１の搬送周波数にマッピングされないデータのような情報を転送するために使用される場合、搬送周波数選択モジュール５５は、ユーザ機器２０の復調搬送周波数に対応する第２の搬送周波数がヌル値を保持すると想定し、他の第２の搬送周波数を選択する。
【０１４６】
明確にするために、図５には、７１１、７３１及び７３８と示す３つの第２の搬送周波数のみを示すが、搬送周波数選択モジュール５５は、より多くの第２の搬送周波数を処理する。
【０１４７】
搬送周波数選択モジュール５５は、第１の持続時間の第１のシンボル、例として長いシンボルと、第１の持続時間の１／Ｌ倍に等しい第２の持続時間の第２のシンボル、例として短いシンボルとを処理することができる。搬送周波数選択モジュール５５は、第１のシンボルのために、第１の搬送周波数のグループの第１の搬送周波数を選択し、第２のシンボルのために、第１の搬送周波数のグループの第１の搬送周波数を選択する。
【０１４８】
受信モジュール５００は、第１の搬送周波数によって伝達されたデータを直列形式に変換する並列・直列変換器５６を備える。第２の搬送周波数が、パイロットシンボル又は第１の搬送周波数にマッピングされないデータのような情報を転送するために使用される場合、並列・直列変換器５６は、第２の搬送周波数によって伝達されたデータを直列形式に変換する。
【０１４９】
図６ａは、第１のシンボル及び第２のシンボルがマッピングされる第１の搬送周波数と、第２の搬送周波数との第１の例を表す図である。
【０１５０】
図６ａにおいて、第１の搬送周波数のグループ７０１は、第１の搬送周波数のグループ７０１６から第２の搬送周波数７１１だけ間隔が空けられている。第１の搬送周波数のグループ７０１はまた、第１の搬送周波数のグループ７０２から第２の搬送周波数７３１だけ間隔が空けられている。
【０１５１】
第１の搬送周波数のグループ７０１は、６０１〜６０９と示す９つの第１の搬送周波数を含む。第１の搬送周波数６０１〜６０９は、互いから△ｆだけ等しく間隔が空けられている。
【０１５２】
第１の搬送周波数６０１〜６０９は、第１の搬送周波数のグループ７０１において第１のシンボルがマッピングされる第１の搬送周波数である。各第１の搬送周波数６０１〜６０９は、第２の搬送周波数７１１及び７３１から△ｆの整数倍だけ間隔が空けられている。
【０１５３】
例として、第１の搬送周波数６０１は、第２の搬送周波数７１１から１△ｆだけ間隔が空けられており、第２の搬送周波数７３１から９△ｆだけ間隔が空けられている。
【０１５４】
その第１の例によれば、第１のシンボルは第２のシンボルより２倍長く、すなわちＬ＝２である。
【０１５５】
第１の搬送周波数６０２、６０４、６０６及び６０８は、第１の搬送周波数のグループ７０１において第２のシンボルがマッピングされる第１の搬送周波数である。第１の搬送周波数６０２、６０４、６０６及び６０８は、互いからＬ△ｆだけ等しく間隔が空けられている。
【０１５６】
各第１の搬送周波数６０２、６０４、６０６及び６０８は、第２の搬送周波数７１１及び７３１からＬ△ｆの整数倍だけ間隔が空けられている。
【０１５７】
例として、第１の搬送周波数６０２は、第２の搬送周波数７１１から１Ｌ△ｆだけ間隔が空けられており、第２の搬送周波数７３１から４Ｌ△ｆだけ間隔が空けられている。
【０１５８】
Ｌが整数値であるので、第２のシンボルがマッピングされる第１の搬送周波数は、第１のシンボルがマッピングされる第１の搬送周波数のサブセットに属する。
【０１５９】
第１の搬送周波数のグループ７０１において第１のシンボルがマッピングされる第１の搬送周波数の数ＸＬと、第１の搬送周波数のグループ７０１において第２のシンボルがマッピングされる第１の搬送周波数の数ＸＳとは、式（ＸＬ＋１）＝（ＸＳ＋１）Ｌを満足する。
【０１６０】
図６ｂは、第１のシンボル及び第２のシンボルがマッピングされる第１の搬送周波数と、第２の搬送周波数との第２の例を表す図である。
【０１６１】
図６ｂにおいて、第１の搬送周波数のグループ７０１は、第１の搬送周波数のグループ７０１６から第２の搬送周波数７１１だけ間隔が空けられている。第１の搬送周波数のグループ７０１はまた、第１の搬送周波数のグループ７０２から第２の搬送周波数７３１だけ間隔が空けられている。
【０１６２】
第１の搬送周波数のグループ７０１は、６３１〜６３８と示す８つの第１の搬送周波数と、６５１〜６５３と示す３つの第１の搬送周波数とを含む。第１の搬送周波数６３１〜６３８は、互いから△ｆだけ等しく間隔が空けられている。
【０１６３】
第１の搬送周波数６３１〜６３８は、第１の搬送周波数のグループ７０１において第１のシンボルがマッピングされる第１の搬送周波数である。各第１の搬送周波数６３１〜６３８は、第２の搬送周波数７１１及び７３１から△ｆの整数倍だけ間隔が空けられている。
【０１６４】
例として、第１の搬送周波数６３１は、第２の搬送周波数７１１から１△ｆだけ間隔が空けられており、第２の搬送周波数７３１から８△ｆだけ間隔が空けられている。
【０１６５】
その第２の例によれば、第１のシンボルは、第２のシンボルの１．５倍の長さであり、すなわちＬ＝１．５である。
【０１６６】
第１の搬送周波数６５１、６３３、６５２、６３６及び６５３は、第１の搬送周波数のグループ７０１において第２のシンボルがマッピングされる第１の搬送周波数である。第１の搬送周波数６５１、６３３、６５２、６３６及び６５３は、互いからＬ△ｆだけ等しく間隔が空けられている。
【０１６７】
各第１の搬送周波数６５１、６３３、６５２、６３６及び６５３は、第２の搬送周波数７１１及び７３１からＬ△ｆの整数倍だけ間隔が空けられている。
【０１６８】
例として、第１の搬送周波数６５１は、第２の搬送周波数７１１から１Ｌ△ｆだけ間隔が空けられており、第２の搬送周波数７３１から５Ｌ△ｆだけ間隔が空けられている。
【０１６９】
Ｌが整数値でないため、第２のシンボルがマッピングされる第１の搬送周波数の少なくとも一部は、第１のシンボルがマッピングされる第１の搬送周波数とは異なる。
【０１７０】
第１の搬送周波数のグループ７０１において第１のシンボルがマッピングされる第１の搬送周波数の数ＸＬと、第１の搬送周波数のグループ７０１において第２のシンボルがマッピングされる第１の搬送周波数の数ＸＳとは、式（ＸＬ＋１）＝（ＸＳ＋１）Ｌを満足する。
【０１７１】
図７は、周波数帯域の一例を表す図である。ここでは、搬送周波数のグループの第１の搬送周波数にデータがマッピングされており、且つ、第１の搬送周波数の各グループは、第１の搬送周波数の少なくとも１つの他のグループから、少なくとも１つの第２の搬送周波数だけ間隔が空けられている。
【０１７２】
図７の例では、通信ネットワーク１５は時分割複信方式を使用し、周波数帯域は、ダウンリンクチャネル又はアップリンクチャネルのいずれかに使用される１２１５の搬送周波数に分割される。
【０１７３】
図７において、基地局１０によって使用される周波数帯域はＢ１０で示される。その周波数帯域は、例として、１２１５の搬送周波数に対応する２０ＭＨｚの帯域幅を有する。
【０１７４】
ユーザ機器２０ａ〜２０ｇによって使用される周波数帯域を、それぞれＢ２０ａ〜Ｂ２０ｇと示す。周波数帯域Ｂ２０ａ、Ｂ２０ｂ及びＢ２０ｃは、例として、６０７の搬送周波数に対応する１０ＭＨｚの帯域幅を有する。周波数帯域Ｂ２０ｄ、Ｂ２０ｅ及びＢ２０ｆは、例として、９１１の搬送周波数に対応する１５ＭＨｚの帯域幅を有する。周波数帯域Ｂ２０ｇは２０ＭＨｚの帯域幅を有する。
【０１７５】
基地局１０の変調搬送周波数及び復調搬送周波数は搬送周波数７１１である。
【０１７６】
ユーザ機器２０ａの変調搬送周波数及び復調搬送周波数は搬送周波数７５ａであり、ユーザ機器２０ｂの変調搬送周波数及び復調搬送周波数は搬送周波数７５ｂであり、ユーザ機器２０ｃの変調搬送周波数及び復調搬送周波数は搬送周波数７５ｃであり、ユーザ機器２０ｄの変調搬送周波数及び復調搬送周波数は搬送周波数７５ｄであり、ユーザ機器２０ｅの変調搬送周波数及び復調搬送周波数は搬送周波数７５ｅであり、ユーザ機器２０ｆの変調搬送周波数及び復調搬送周波数は搬送周波数７５ｆであり、ユーザ機器２０ｇの変調搬送周波数及び復調搬送周波数は搬送周波数７５ｇである。
【０１７７】
図７の例において理解することができるように、基地局１０及びユーザ機器２０は、異なる変調搬送周波数及び／又は復調搬送周波数７５を使用してもよい。
【０１７８】
基地局１０の周波数帯域Ｂ１０がユーザ機器２０の周波数帯域Ｂ２０より大きいか又はそれに等しいため、且つ、ユーザ機器２０は異なる変調搬送周波数及び／又は復調搬送周波数７５を有するため、基地局１０の周波数帯域Ｂ１０はより効率的に使用される。
【０１７９】
本発明に従って、第１の搬送周波数及び第２の搬送周波数が定義される。
【０１８０】
図７の例では、第１の搬送周波数は、それぞれ７０１〜７０１６と示す第１の搬送周波数の１６個のグループにグループ化される。
【０１８１】
例として、各グループ７０は、第１のシンボルがマッピングされるＸＬ＝７５個の第１の搬送周波数と、第２のシンボルがマッピングされるＸＳ＝３７個の第１の搬送周波数とを含む。
【０１８２】
好ましくは、且つ非限定的に、各グループは、第１のシンボルがマッピングされる第１の搬送周波数の３つの資源ブロックに分割される。資源ブロックは、略同じ数の第１の搬送周波数又は同じ数の第１の搬送周波数を含む。
【０１８３】
図７において、第２の搬送周波数を７１、７２及び７３と示す。
【０１８４】
第２の搬送周波数７１１は、基地局１０の変調搬送周波数及び／又は復調搬送周波数であり、ユーザ機器２０ｃ、２０ｆ及び２０ｇの変調搬送周波数及び／又は復調搬送周波数７５ｃ、７５ｆ及び７５ｇに対応する。第２の搬送周波数７１２は、ユーザ機器２０ｄの変調搬送周波数及び／又は復調搬送周波数７５ｄに対応する。第２の搬送周波数７１３は、ユーザ機器２０ａの変調搬送周波数及び／又は復調搬送周波数７５ａに対応する。第２の搬送周波数７１４は、ユーザ機器２０ｅの変調搬送周波数及び／又は復調搬送周波数７５ｅに対応する。第２の搬送周波数７１５は、ユーザ機器２０ｂの変調搬送周波数及び／又は復調搬送周波数７５ｂに対応する。
【０１８５】
本発明によれば、第２の搬送周波数７１１、７３３及び７１５は、所与の周波数帯域を有するユーザ機器２０の変調搬送周波数及び／又は復調搬送周波数の影響を受けやすい。例として、こうした周波数帯域は、１０ＭＨｚに等しい。第２の搬送周波数７１１、７１４及び７１２は、別の所与の周波数帯域を有するユーザ機器２０の変調搬送周波数及び／又は復調搬送周波数の影響を受けやすい。例として、こうした周波数帯域は１５ＭＨｚに等しい。
【０１８６】
第２の搬送周波数７２１及び７２２は、第２の搬送周波数の規則的間隔構造を維持するために定義される。
【０１８７】
第２の搬送周波数７３１〜７３９は、第１の搬送周波数のグループのそれぞれにおいて、第１の搬送周波数の１つのグループ７０において第１のシンボルがマッピングされる第１の搬送周波数の数ＸＬと、その第１の搬送周波数のグループ７０において第２のシンボルがマッピングされる第１の搬送周波数の数ＸＳとが、式（ＸＬ＋１）＝（ＸＳ＋１）Ｌを満足する、ということを確実にするために定義される。
【０１８８】
本発明によれば、基地局１０は、ユーザ機器２０にデータを転送する時、ユーザ機器２０の周波数帯域Ｂ２０に含まれる第１の搬送周波数のグループ７０の第１の搬送周波数に、第１のシンボル及び第２のシンボルをマッピングする。第１の搬送周波数のこれらのグループ７０の各々は、第１の搬送周波数の少なくとも１つの他のグループ７０から、第２の搬送周波数７１及び／又は７２及び／又は７３だけ間隔が空けられている。
【０１８９】
例として、基地局１０は、データをユーザ機器２０ａに転送する時、データを第１の搬送周波数７０９〜７０１６のグループの第１の搬送周波数にマッピングする。それは、それらがユーザ機器２０ａの周波数帯域Ｂ２０ａに含まれるためである。
【０１９０】
基地局１０は、データを第１の搬送周波数の各グループ７０９〜７０１６の各第１の搬送周波数にマッピングするか、又はデータを第１の搬送周波数のグループ７０９〜７０１６の少なくとも１つの各第１の搬送周波数にマッピングするか、又はデータを第１の搬送周波数のグループ７０９〜７０１６のそれぞれの第１の搬送周波数の一部にマッピングするか、又はデータを第１の搬送周波数の少なくとも１つのグループの第１の搬送周波数の一部にマッピングする。
【０１９１】
同様に、ユーザ機器２０は、データを基地局１０に転送する時、ユーザ機器２０の周波数帯域Ｂ２０に含まれる第１の搬送周波数のグループ７０の第１の搬送周波数に、第１のシンボル及び第２のシンボルをマッピングする。第１の搬送周波数のこれらのグループ７０の各々は、第１の搬送周波数の少なくとも１つの他のグループ７０から、第２の搬送周波数７１及び／又は７２及び／又は７３だけ間隔が空けられる。
【０１９２】
例として、ユーザ機器２０ａは、データを基地局１０に転送する時、データを第１の搬送周波数のグループ７０９〜７０１６の第１の搬送周波数にマッピングする。
【０１９３】
ユーザ機器２０ａは、データを第１の搬送周波数の各グループ７０９〜７０１６の各第１の搬送周波数にマッピングするか、又はデータを第１の搬送周波数のグループ７０９〜７０１６の少なくとも１つの各第１の搬送周波数にマッピングするか、又はデータを第１の搬送周波数のグループ７０９〜７０１６のそれぞれの第１の搬送周波数の一部にマッピングするか、又はデータを第１の搬送周波数の少なくとも１つのグループの第１の搬送周波数の一部にマッピングする。
【０１９４】
ここで、基地局１０がデータをユーザ機器２０ａに転送する時にデータをマッピングする第１の搬送周波数は、ユーザ機器２０ａがデータを基地局１０に転送する時にデータをマッピングする第１の搬送周波数と異なってもよい、ということが留意されなければならない。
【０１９５】
ここで、ユーザ機器２０は、第１のシンボル及び／又は第２のシンボルの形態でデータを転送してもよく、基地局１０は、第１のシンボルの形態のみでデータを転送してもよい、ということが留意されなければならない。反対に、ユーザ機器２０は、第１のシンボルの形態のみでデータを転送してもよく、基地局１０は、第１のシンボル及び／又は第２のシンボルの形態でデータを転送してもよい。
【０１９６】
第２の搬送周波数７１、７２及び７３は、ダウンリンクチャネル又はアップリンクチャネルのいずれに対しても同じである。
【０１９７】
第１の搬送周波数及び第２の搬送周波数のこうした規則的構造により、基地局１０及びユーザ機器の複雑性が簡略化する。
【０１９８】
図８は、本発明によるデータを転送するアルゴリズムを表す図である。
【０１９９】
本アルゴリズムは、基地局１０及び／又は各ユーザ機器２０によって実行される。本アルゴリズムを、例として、基地局１０によって実行される場合で開示する。
【０２００】
ステップＳ８００において、基地局１０のプロセッサ２００は、基地局１０のＲＡＭメモリ２０３に格納された第２の搬送周波数７１、７２及び７３の識別子を取得する。
【０２０１】
第２の搬送周波数の識別子は事前に定義されている。
【０２０２】
次のステップＳ８０１において、プロセッサ２００は、第１の搬送周波数の各グループ７０に含まれる第１の搬送周波数の識別子を取得する。
【０２０３】
次のステップＳ８０２において、プロセッサは、ステップＳ８００及びＳ８０１において取得された識別子を、ネットワークインタフェース２０５に転送する。より正確には、送信モジュール４００のデータ・搬送周波数マッピングモジュール４１に転送する。
【０２０４】
データ・搬送周波数マッピングモジュール４１は、転送されるデータを、第１の搬送周波数の少なくとも２つのグループの第１の搬送周波数にマッピングする。
【０２０５】
第１の搬送周波数のグループのそれぞれは、第１の搬送周波数の少なくとも１つの他のグループから、少なくとも１つの第２の搬送周波数だけ間隔が空けられている。
【０２０６】
次のステップＳ８０３において、プロセッサ２００は、第２の搬送周波数の処理をネットワークインタフェース２０５に命令する。より正確には、送信モジュール４００のデータ・搬送周波数マッピングモジュール４１に命令する。
【０２０７】
データ・搬送周波数マッピングモジュール４１は、第２の搬送周波数にヌル値をセットするか、又は第２の搬送周波数にパイロットシンボルをマッピングするか、又は第１の搬送周波数にマッピングされないデータをマッピングする。
【０２０８】
次のステップＳ８０４において、マッピングされたデータが少なくとも１つのユーザ機器２０に転送される。
【０２０９】
転送されなければならない各データに対し、ステップＳ８０２〜Ｓ８０４が実行される。
【０２１０】
図９は、本発明によるデータを引き出す(retrieve)アルゴリズムを表す図である。
【０２１１】
本発明のアルゴリズムは、基地局１０及び／又は各ユーザ機器２０によって実行される。本発明のアルゴリズムを、例として、ユーザ機器２０によって実行される場合で開示する。
【０２１２】
ステップＳ９００において、ユーザ機器２０のプロセッサ３００は、ユーザ機器２０のＲＡＭメモリ３０３に格納されている第２の搬送周波数７１、７２及び７３の識別子を取得する。
【０２１３】
第２の搬送周波数の識別子は事前に定義されている。
【０２１４】
次のステップＳ９０１において、プロセッサ３００は、第１の搬送周波数のグループ７０のそれぞれに含まれる第１の搬送周波数の識別子を取得する。
【０２１５】
次のステップＳ９０２において、プロセッサ３００は、第２の搬送周波数の処理をネットワークインタフェース３０５に命令する。より正確には、受信モジュール５００の搬送周波数選択モジュール５５に命令する。
【０２１６】
データが第２の搬送周波数にマッピングされない場合、搬送周波数選択モジュール５５は、第２の搬送周波数を処理しない。第２の搬送周波数が、パイロットシンボル又は第１の搬送周波数にマッピングされないデータのような情報を転送するために使用される場合、搬送周波数選択モジュール５５は、ユーザ機器２０の復調搬送周波数に対応する第２の搬送周波数のみを処理せず、他の第２の搬送周波数を選択する。
【０２１７】
次のステップＳ９０３において、プロセッサ３００は、ステップＳ９０１で取得された識別子をネットワークインタフェース３０５に転送する。より正確には、受信モジュール５００の搬送周波数選択モジュール５５に転送する。
【０２１８】
搬送周波数選択モジュール５５は、受信データの復号に進むために第１の搬送周波数のグループを選択する。
【０２１９】
第１の搬送周波数のグループのそれぞれは、第１の搬送周波数の少なくとも１つの他のグループから、少なくとも１つの第２の搬送周波数だけ間隔が空けられている。
【０２２０】
次のステップＳ９０４において、データがプロセッサ３００によって引き出される。
【０２２１】
信号が受信される度に、ステップＳ９０２〜Ｓ９０４が実行される。
【０２２２】
当然ながら、本発明の範囲から逸脱することなく上述した本発明の実施形態に対して多くの変更を行うことができる。
【図面の簡単な説明】
【０２２３】
【図１】本発明が実装される無線通信ネットワークのアーキテクチャを表す図である。
【図２】基地局のアーキテクチャを表す図である。
【図３】ユーザ機器のアーキテクチャを表す図である。
【図４】基地局のネットワークインタフェースのアーキテクチャを表す図である。
【図５】ユーザ機器のネットワークインタフェースのアーキテクチャを表す図である。
【図６ａ】第１のシンボル及び第２のシンボルがマッピングされる第１の搬送周波数と、第２の搬送周波数との第１の例を表す図である。
【図６ｂ】第１のシンボル及び第２のシンボルがマッピングされる第１の搬送周波数と、第２の搬送周波数との第２の例を表す図である。
【図７】データが搬送周波数のグループの第１の搬送周波数にマッピングされ、且つ、第１の搬送周波数のグループのそれぞれが、第１の搬送周波数の少なくとも１つの他のグループから、少なくとも１つの第２の搬送周波数だけ間隔が空けられる、周波数帯域の一例を表す図である。
【図８】本発明によるデータを転送するアルゴリズムを表す図である。
【図９】本発明によるデータを引き出すアルゴリズムを表す図である。
【図１】
0005389340.tif 000002
【図２】
0005389340.tif 000003
【図３】
0005389340.tif 000004
【図４】
0005389340.tif 000005
【図５】
0005389340.tif 000006
【図６ａ】
0005389340.tif 000007
【図６ｂ】
0005389340.tif 000008
【図７】
0005389340.tif 000009
【図８】
0005389340.tif 000010
【図９】
0005389340.tif 000011